(57)【要約】【課題】１台の温水ボイラに、異なる湯温設定の放熱器を複数併設することができる温水暖房システムの制御装置を提供する。【解決手段】１台の温水ボイラ１との間で双方向通信Ａ１，Ａ２  または片方向通信Ｂ１で夫々接続され、温水の設定温度を可変可能に制御される複数の放熱器から構成される温水暖房システムであって、温水ボイラに接続される各放熱器への温水循環路に夫々開閉弁１２ａ，１２ｂ  を設け、温水ボイラとの間で双方向通信Ａ２で接続され、片方向通信接続側の放熱器３の湯温設定温度を制御する湯温設定コントローラ１３を設け、双方向通信接続側の放熱器２と湯温設定コントローラとが、温水ボイラの制御部へ異なる湯温設定温度で運転を指示したとき、温水ボイラ側から各放熱器に運転優先順位を指示する信号を送信し、放熱器側からの指示により、優先を選択した放熱器側の開閉弁を開き、同時に選択されなかった方の開閉弁を閉じるよう制御する。【選択図】  図１
2004324976.tif 000002
【特許請求の範囲】
【請求項１】
温水を生成する１台の温水ボイラと、同温水ボイラとの間で双方向または片方向通信可能に夫々接続され、前記温水ボイラから循環される温水の設定温度を可変可能に制御される複数の放熱器から構成されてなる温水暖房システムであって、
前記温水ボイラに接続される前記各放熱器への温水循環路に夫々開閉弁を設けるとともに、前記温水ボイラとの間で双方向通信可能に接続され、前記片方向通信接続側の放熱器の湯温設定温度を制御する湯温設定コントローラを設け、前記双方向通信接続側の放熱器と湯温設定コントローラとが、前記温水ボイラの制御部へ異なる湯温設定温度で運転を指示したとき、前記温水ボイラ側から各放熱器に運転優先順位を指示する信号を送信し、放熱器側からの指示により、優先を選択した前記放熱器側の前記開閉弁を開き、同時に選択されなかった方の前記開閉弁を閉じるよう制御してなることを特徴とする温水暖房システムの制御装置。
【請求項２】
前記開閉弁を閉じた方の放熱器は、運転を停止するとともに運転停止の表示を行うようにしてなることを特徴とする請求項１記載の温水暖房システムの制御装置。
【請求項３】
前記各開閉弁を前記温水ボイラ内の前記温水循環路に設けてなることを特徴とする請求項１記載の温水暖房システムの制御装置。
【請求項４】
前記双方向通信接続側の放熱器が必要な温水温度が高いファンコンベクタからなり、前記片方向通信接続側の放熱器が必要な温水温度が低い床暖房パネルからなることを特徴とする請求項１記載の温水暖房システムの制御装置。
【発明の詳細な説明】
【０００１】
【発明の属する技術分野】
本発明は、温水暖房システムに係わり、より詳しくは、１台の温水ボイラに異なる湯温設定の放熱器を複数併設することができる制御装置に関するものである。
【０００２】
【従来の技術】
従来の種の温水暖房装置は、図５に示すようなものが知られている。（例えば、特許文献１参照）。１台の熱源機で得られた温水を主暖房用のファンコンベクタおよび副暖房用のファンコンベクタに循環し、温風をファンで室内に吹き出す温水暖房装置において、副暖房用のファンコンベクタの運転時に主暖房用のファンコンベクタが運転開始になったとき、主暖房用のファンコンベクタの主暖房制御装置３１の制御信号出力手段３１ａ  が運転開始の旨を制御信号を熱源機の制御装置３２に送り、この制御装置３２の主暖房用制御入力手段３２ａ  がその制御信号を入力し、制御装置３２の補助暖房判定手段３２ｂ  が副暖房用のファンコンベクタを補助暖房用に切り替える判定を行う、制御装置３２の副暖房用制御出力手段３２ｃ  がその補助暖房用の連絡信号を副暖房用制御装置３３に送り、この副暖房用制御装置３３の制御信号入出力手段３３ａ  がファン３０を低速回転に設定する。
【０００３】
そしてこの発明によれば、１台の熱源機に複数の放熱機（ファンコンベクタ）を接続してなる温水暖房装置において、例えば主暖房用および副暖房用の放熱機が同時に運転状態になったときには副暖房用の放熱機のファンを低速回転として運転状態にある放熱機の能力が熱源機の能力を上回らないようにし、温水温度の低下を抑えるようにしたので、副暖房用の放熱機の能力が多少低下するものの、主暖房用の放熱機の能力を十分に発揮させることができ、主暖房用の放熱機が設置されている室内の温度を適切に保つことができ、各放熱機が設置されている室内において全て不快感を与えるということもない。
【０００４】
しかし、副暖房用の放熱機に放熱量が少ない床暖房パネルを用いたい場合、ファンがないため、床暖房パネルの能力（温度）を下げることができない。
例えば、必要な温水温度が８０℃程度と高いファンコンベクタと、必要な温水温度が５０℃程度と低い床暖房パネルを異なる部屋で使用したい場合に、必要な温水温度が異なる放熱機をオプション（例えば、機器間の通信制御が異なる）として１台の熱源機に接続ができ、たとえ放熱機を切換えても温水温度が異なる放熱機を使用できることが望まれている。
【０００５】
【特許文献１】
特開平９−３１０８７１号公報（要約、発明の効果、第１図）
【０００６】
【発明が解決しようとする課題】
本発明は上記問題点に鑑みなされたもので、１台の温水ボイラに複数の放熱器を接続してなる温水暖房システムであって、異なる湯温設定の放熱器を複数併設することができる温水暖房システムの制御装置を提供することを目的としている。
【０００７】
【課題を解決するための手段】
本発明は上記課題を解決するためなされたもので、温水を生成する１台の温水ボイラと、同温水ボイラとの間で双方向または片方向通信可能に夫々接続され、前記温水ボイラから循環される温水の設定温度を可変可能に制御される複数の放熱器から構成されてなる温水暖房システムであって、
前記温水ボイラに接続される前記各放熱器への温水循環路に夫々開閉弁を設けるとともに、前記温水ボイラとの間で双方向通信可能に接続され、前記片方向通信接続側の放熱器の湯温設定温度を制御する湯温設定コントローラを設け、前記双方向通信接続側の放熱器と湯温設定コントローラとが、前記温水ボイラの制御部へ異なる湯温設定温度で運転を指示したとき、前記温水ボイラ側から各放熱器に運転優先順位を指示する信号を送信し、放熱器側からの指示により、優先を選択した前記放熱器側の前記開閉弁を開き、同時に選択されなかった方の前記開閉弁を閉じるよう制御してなる構成となっている。
【０００８】
また、前記開閉弁を閉じた方の放熱器は、運転を停止するとともに運転停止の表示を行うようにしてなる構成となっている。
【０００９】
また、前記各開閉弁を前記温水ボイラ内の前記温水循環路に設けてなる構成となっている。
【００１０】
また、前記双方向通信接続側の放熱器が必要な温水温度が高いファンコンベクタからなり、前記片方向通信接続側の放熱器が必要な温水温度が低い床暖房パネルからなる構成となっている。
【００１１】
【発明の実施の形態】
以下、本発明の実施の形態を、添付図面に基づいた実施例として説明する。
図１は本発明における温水暖房システムの制御装置を説明する構成図で、図２は本発明による制御装置のブロック図である。
図１において、本発明における温水暖房装置は、温水を生成する熱源機として利用される１台の温水ボイラ１と、主暖房用の放熱器２（本実施例ではファンコンベクタとしている）と、副暖房用の放熱器３（本実施例では床暖房パネルとしている）から構成されている。
【００１２】
前記温水ボイラ１には温水を生成するボイラ４と、温水を蓄えるシスタンク５と、温水を放熱器２及び放熱器３へ循環させるポンプ６とが有り、温水ボイラ１と放熱器２及び放熱器３とはそれぞれ温水循環路としての温水の往き管７ａ  ，７ｂと戻り管８ａ，８ｂ  で繋がれている。
【００１３】前記放熱器２のファンコンベクタにはその筐体の背面上部に室内空気の吸込口２ａが有り、前面下部に室内への温風の吹出口２ｂが有り、前記吸込口２ａと吹出口２ｂを結ぶ空気通路に温水ボイラ１から循環する温水を熱源とする熱交換器２ｃと、この熱交換器２ｃで暖められた空気を室内へ送出する送風機２ｄが設けられ、温風により室内の暖房を行う。
また、前記放熱器３の床暖房パネルは蛇行状のパイプ３ａに温水ボイラ１から温水を循環させて床暖房を行う。
【００１４】
前記温水ボイラ１の制御装置９と前記放熱器２の制御装置１０はシリアル双方向通信Ａ１で接続され、前記温水ボイラ１から循環される温水の設定温度を可変可能に制御される。また、前記温水ボイラ１の制御装置９と前記放熱器３の制御装置１１は片方向通信Ｂ１によって接続されている。
そして、前記温水ボイラ１と前記放熱器２間を接続する前記戻り管８ａには第一開閉弁１２ａ  が設けられ、前記温水ボイラ１と前記放熱器３間を接続する前記戻り管８ｂには第二開閉弁１２ｂ  が設けられている。
また、前記各開閉弁１２ａ，１２ｂ  を前記温水ボイラ１内に設けてなる構成とすることにより、制御装置９との制御配線が容易となる。
【００１５】
前記放熱器３の湯温設定温度を制御する湯温設定コントローラ１３を設け、同湯温設定コントローラ１３と前記温水ボイラ１との間をシリアル双方向通信Ａ２で接続するとともに、前記温水ボイラ１から循環される温水の設定温度を可変できるようになされている。
【００１６】
次に上記構成において、制御動作を図１の構成図と図２のブロック図により説明する。例えば、放熱器２（ファンコンベクタ）の運転操作部１０ａ  （あるいはリモコン）の運転ＳＷがオンになると、放熱器２の制御装置１０の通信ポート１０ｄ  からは制御信号が温水ボイラ１の制御装置９に送られ、これにより温水ボイラ１ではボイラ４を作動して、予め湯温設定部１０ｂ  で設定された温度（例えば８０℃）の温水を得ると共に、第一開閉弁１２ａ  を開き、この温水を放熱器２に循環する。放熱器２は、熱交換器２ｃに送られる温水が所定値を越えると、ファン２ｄを駆動して温風を吹き出す。
【００１７】
又は、放熱器３（床暖房パネル）の運転操作部１１ａ  の運転ＳＷがオンになると、制御装置１１の通信ポート１１ｃ  からは制御信号が温水ボイラ１の制御装置９に送られ、これにより温水ボイラ１ではボイラ４を作動して、予め湯温設定コントローラ１３の湯温設定部１３ａ  で設定された温度（例えば５０℃）の温水を得ると共に、第二開閉弁１２ｂ  を開き、この温水を放熱器３のパイプ３ａに循環させる。
【００１８】
前記放熱器２と放熱器３の湯温設定コントローラ１３が、前記温水ボイラ１の制御部９ｂへ異なる湯温設定温度で運転を指示したとき、前記温水ボイラ１側から前記放熱器２と湯温設定コントローラ１３に運転優先順位を指示する指示伺い信号を送信する。そして、使用者側からの指示により、優先を選択した方の前記放熱器側の前記第一開閉弁１２ａ  または第二開閉弁１２ｂ  を開き、同時に選択されなかった方の前記第一開閉弁１２ａ  または第二開閉弁１２ｂ  を閉じると共に、この放熱器の運転を停止するよう制御する。
【００１９】
次に、図３の本発明における温水ボイラの制御フローチャートおよび図４の  放熱器の制御フローチャートを参照しながら制御動作例を説明する。
まず、前記放熱器２が湯温設定ａ℃で運転中（ＳＴ１〜ＳＴ２）、湯温設定コントローラ１３（放熱器３）が湯温設定ｂ℃で運転開始指示（ＳＴ３〜ＳＴ４）をしたとする。もし放熱器２の運転指示がなければ湯温設定を初期化（ａ＝０  で表示）して第一開閉弁１２ａ  を閉塞する（ＳＴ５〜ＳＴ６）。また、湯温設定コントローラ１３の運転指示がなければ湯温設定を初期化（ｂ＝０  で表示）して第二開閉弁１２ｂ  を閉塞する（ＳＴ７〜ＳＴ８）。湯温設定がａ＝ｂかどうかの判定を行い（ＳＴ９）、同じであれば温水ボイラを運転し放熱器２、３の両方を運転する（ＳＴ１０〜ＳＴ１１）。
【００２０】
もし、湯温設定がａ≠ｂの場合、温水ボイラ１はのシリアル双方向通信Ａ１，Ａ２  にて放熱器２および湯温設定コントローラ１３に対して優先放熱器選択指示伺いの信号を送信する（ＳＴ１３〜ＳＴ１５）。そして、放熱器２が優先指示されれば、湯温設定コントローラ１３に運転停止指示の信号が送信され、第二開閉弁１２ｂ  が閉塞され、同時に第一開閉弁１２ａ  が開放されて、放熱器２が湯温設定ａ℃で運転される（ＳＴ１６〜ＳＴ２１）。
また、逆に湯温設定コントローラ１３が優先指示されれば、放熱器２運転停止指示の信号が送信され、第一開閉弁１２ａ  が閉塞され、同時に第二開閉弁１２ｂ  が開放されて、放熱器３が湯温設定ｂ℃で運転される（ＳＴ２３〜ＳＴ２８）。
【００２１】
次に、図４の放熱器の制御フローチャートを説明する。運転中、もしくは運転開始時に温水ボイラ１から送信される優先放熱器選択指示を受信した場合、そのときの運転状態を継続する。つまり放熱器２が運転中に湯温設定コントローラ１３が運転開始した場合、放熱器２は運転を継続し、湯温設定コントローラ１３及び放熱器３は停止を継続する。この時放熱器２、湯温設定コントローラ１３ともに選択指示待ち表示を行う（ＳＴ１〜ＳＴ３）。
【００２２】
そして、使用者が運転操作スイッチを押下し、湯温設定コントローラ１３を選択した場合、湯温設定コントローラ１３は選択指示を温水ボイラ１へ送信し、同時に運転を開始する（ＳＴ５〜ＳＴ７）。
選択されなかった放熱器２は温水ボイラ１より運転停止指示を受信し、その指示に従い他の接続放熱器が優先されたことによる停止の表示（非優先停止表示）を行い運転停止する（ＳＴ８〜ＳＴ１０）。
【００２３】
以上に説明したように、温水ボイラ１に接続される放熱器２、３への温水循環路に夫々開閉弁１２ａ，１２ｂ  を設けるとともに、温水ボイラ１との間で双方向通信可能に接続され、片方向通信接続側の放熱器３の湯温設定温度を制御する湯温設定コントローラ１３を設け、双方向通信接続側の放熱器２と湯温設定コントローラ１３とが、温水ボイラ１の制御部へ異なる湯温設定温度で運転を指示したとき、温水ボイラ１側から各放熱器２、３に運転優先順位を指示する信号を送信し、放熱器２、３側からの指示により、優先を選択した放熱器側の開閉弁を開き、同時に選択されなかった方の開閉弁を閉じるよう制御してなる構成とすることにより、異なる湯温設定の放熱器を複数併設することができる温水暖房システムの制御装置となる。
【００２４】
【発明の効果】
以上説明したように、本発明によれば、１台の温水ボイラに複数の放熱器を接続してなる温水暖房システムにおいて、異なる湯温設定の放熱器を複数併設することができる温水暖房システムの制御装置となる。
【図面の簡単な説明】
【図１】本発明における温水暖房システムの構成図である。
【図２】本発明における温水暖房システムの制御ブロック図である。
【図３】本発明における温水ボイラの制御フローチャートである。
【図４】本発明における放熱器の制御フローチャートである。
【図５】従来の温水暖房装置のブロック図である。
【符号の説明】
１    温水ボイラ
２    主暖房用の放熱器（ファンコンベクタ）
３    副暖房用の放熱機（床暖房パネル）
４    ボイラ
５  シスタンク
６  ポンプ
７ａ，７ｂ      往き管
８ａ，８ｂ    戻り管
９，１０，１１    制御装置
１２ａ      第一開閉弁
１２ｂ      第二開閉弁
１３        湯温設定コントローラ
Ａ１，Ａ２    シリアル双方向通信
Ｂ１    片方向通信
【図１】
2004324976.tif 000003
【図２】
2004324976.tif 000004
【図３】
2004324976.tif 000005
【図４】
2004324976.tif 000006
【図５】
2004324976.tif 000007